(57)【特許請求の範囲】
【請求項１】
固定側本体の後部に連結された後部支持ブラケットに、固定側メンバーの後部が支持され、固定側メンバーの前部が固定側本体の前部に連結されるスライドレールの取付装置において、後部支持ブラケットは、前端部が開口する前後方向のスライド用長孔を有し、固定側メンバーは、スライド長孔の前端部の開口から前後方向にスライド可能に嵌合する嵌合突部を有し、前後方向にスライド可能で上下動不能に、固定側メンバーの後部が後部支持ブラケットに前方から装着される事により、一つの、後部支持ブラケットと固定側メンバーで、奥行寸法の異なる固定側本体に対応可能とした事を特徴とするスライドレールの取付装置。
【発明の詳細な説明】
【０００１】
【産業上の利用分野】
本発明は、同一のスライドレールを、奥行寸法の異なったラック（固定側本体）に簡単に取付る事のできるスライドレールの取付装置に関するものである。
【０００２】
【従来の技術】
従来、上記スライドレールの取付装置は、スライドレールの固定側メンバー（固定側本体と連結されるメンバー）の後部に、長さの異なるブラケットを連結する事で、異なった長さのスライドレールを構成し、異なった奥行寸法のラック（固定側本体）に対応する長さのスライドレールを選択し、このスライドレールの前後端部（後部はブラケットの後端部）をラックの前後端部にネジ止めしていた。
この為、奥行寸法の異なるラックに対応するブラケットを取付たスライドレール用意しなければならず、部材管理の面で問題があった。
又、スライドレールはブラケットが連結された状態で取付られるので、取付作業中に支持する荷重も必然的に増加し、スライドレールをラックの後部に取り付ける時は、ラックの内部に潜り込むような姿勢で重量物を支持しながら連結作業を行わなければならず、取付作業に時間を要するだけでなく、非常に煩わしいものであった。
【０００３】
【発明が解決しようとする課題】
本発明は、上記問題を解決する事を課題とし、簡単な構造で、同一部材で異なった奥行寸法のラックに対応可能で、しかも取付作業も容易なスライドレールの取付装置を提供することを目的とする。
【０００４】
【課題を解決する為の手段】
上記課題を解決する為、本発明が手段とする第１の特徴は、固定側本体の後部に連結された後部支持ブラケットに、固定側メンバーの後部が支持され、固定側メンバーの前部が固定側本体の前部に連結されるスライドレールの取付装置において、後部支持ブラケットは、前端部が開口する前後方向のスライド用長孔を有し、固定側メンバーは、スライド長孔の前端部の開口から前後方向にスライド可能に嵌合する嵌合突部を有し、前後方向にスライド可能で上下動不能に、固定側メンバーの後部が後部支持ブラケットに前方から装着される事により、一つの、後部支持ブラケットと固定側メンバーで、奥行寸法の異なる固定側本体（ラック）に対応可能としたものである。
【０００６】
【実施例】
以下、本発明の実施例を図面に基づいて説明する。
図１において、符号１０１はラックを構成する前後左右支柱を示し、符号１００、１００は、後部支持ブラケット６、前部支持ブラケット７を介して支柱１０１、１０１と連結されるスライドレールを示している。
スライドレール１００は、固定側メンバー１と、固定側メンバー１にボールリテーナー４に回転自在に保持されたボール４４・・・を介して摺動自在に中間メンバーと２と、中間メンバー２にボールリテーナー５に回転自在に保持されたボール５４・・・を介して摺動自在に保持された移動側メンバー３と、固定側メンバー１の前部に連結された前部支持ブラケット７より構成されている。
【０００７】
すなわち、固定側メンバー１は、基板１０と、上下折曲縁１１、１１よりチャンネル型に形成され、上下折曲縁１１、１１内面と中間メンバー２の外面間に位置する複数個のボール４４・・・を介して、中間メンバー２を摺動自在に保持している。複数個のボール４４・・・は、固定側メンバー１のほぼ半分程度の長さとなした略Ｃ字形のボールリテーナー４・・・に回転自在に保持されている。
そして、固定側メンバー１の基板１０の後端部には、中間メンバー２の収納時ストッパー（図示せず。）が形成され、基板１０の前端部には前記ボールリテーナー４の引出し方向への移動範囲を規制するリテーナ前ストッパー（図示せず。）が形成されている。
【０００８】
そして、基板１０の前端部の外面にリベット等にて前部支持ブラケット７が取付られ、基板１０の後部所定位置に複数個の嵌合突部８が形成されている。
前部支持ブラケット７は、固定側メンバー１の基板１０とリベット等にて連結された連結基板７１と、連結基板７１の上下端部より、スライドレール１００側に突出し、上下の折曲縁１１、１１を外嵌する上下支持突片７２、７２と、連結基板７１の前端部をスライドレール１００と反対方向に突出し、上下方向に複数個の取付用長孔７３・・・を有する連結用突片７４より構成されている。
【０００９】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール４４・・・が転動する外面側ボール摺動溝を有し、上下折曲縁２１、２１の内面に、摺動方向に渡ってボール５４・・・が転動するボール摺動溝を有している。
そして、基板２０の後端部には、中間メンバー２の最大引出し時に、前記固定側メンバー１のリテーナ前ストッパー（図示せず。）に前端部が当接したボールリテーナー４の後端に当接して、中間メンバー２の最大引出し量を規制するリテーナ後ストッパー（図示せず。）が形成され、基板２０の前端部に、移動側メンバー３が最大伸長状態となった時、ボールリテーナー５の前端部が当接するボールリテーナ前端ストッパー（図示せず。）が形成されている。
【００１０】
移動側メンバー３は、固定側メンバー１とほぼ同長に形成され、ボールリテーナー５に保持されたボール５４・・・を介して摺動自在な大きさで、金属製の細条板の短手両端部を外向き円弧状に折り曲げて形成された、外面長手方向にボール５４・・の摺動面を有する上下折曲縁３１、３１と基板３０より断面略Ｃ字型に形成されている。
【００１１】
そして、基板３０の後端部には、移動側メンバー３の最大引出し時に、前記中間メンバー２のボールリテーナ前端ストッパー（図示せず。）に前端部が当接したボールリテーナー５の後端に当接して、移動側メンバー３の最大引出し量を規制するボールリテーナ後端ストッパー（図示せず。）が形成されている。
符号３００は、左右の移動側メンバー３、３と連結される棚板あるいは機器類等の移動物品を示している。
【００１２】
ボールリテーナー４は、帯状金属板にて固定側メンバー１の半分程度の長さとし、前記固定側メンバー１と中間メンバー２の基板１０、２０間に挿入可能な大きさのコ字形基板４０と、コ字形基板４０の両端部よりＬ字形に突出し、固定側メンバー１と中間メンバー２の各上下折曲縁１１、１１、２１、２１間に位置する上下突出縁４１、４１より断面略コ字形に形成され、上下突出縁４１、４１の摺動方向に複数個のボール４４・・・を回転自在に保持している。
ボールリテーナー５は、帯状金属板にて中間メンバー２の半分程度の長さとし、前記中間メンバー２と移動側メンバー３の基板２０、３０間に挿入可能な大きさのコ字形基板５０と、コ字形基板５０の両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール５４・・・を回転自在に保持している。
【００１３】
スライドレール１００は、上記の如く構成され、固定側メンバー１に対する中間メンバー２の引出し方向への摺動、中間メンバー２に対する移動側メンバー３の引出し方向への摺動は次のようになる。
中間メンバー２が固定側メンバー１に対し摺動すると、同時に、ボールリテーナー４も中間メンバー２の移動量の半分の移動量をもって前方に移動し、やがて、ボールリテーナー４の前端は固定側メンバー１のリテーナ前ストッパー（図示せず。）に当接して停止し、同時に、中間メンバー２のリテーナ後ストッパー（図示せず。）がリテーナ前ストッパー（図示せず。）に当接したボールリテーナー４の後端に当接して停止する。
【００１４】
一方、中間メンバー２に対し移動側メンバー３が摺動すると、ボールリテーナー５も移動側メンバー３の移動量の半分の移動量をもって前方に移動し、やがて、ボールリテーナー５の前端が中間メンバー２のボールリテーナー前端ストッパーに当接して停止し、この停止したボールリテーナー５の後端に移動側メンバー３のボールリテーナー後端ストッパーに当接して、移動側メンバー３が停止する。
【００１５】
一方、固定側メンバー１に対する中間メンバー２の収納方向への摺動、中間メンバー２に対する移動側メンバー３の収納方向への摺動は次のようになる。
中間メンバー２が固定側メンバー１に対し摺動すると、同時にボールリテーナー４も中間メンバー２の移動量の半分の移動量をもって後方に移動し、やがて、中間メンバー２のリテーナ後ストッパー（図示せず。）が固定側メンバー１の収納時ストッパー（図示せず。）に当接して、中間メンバー２の摺動が停止する
【００１６】
又、中間メンバー２に対し移動側メンバー３が摺動すると、ボールリテーナー５も移動側メンバー３の移動量の半分の移動量をもって後方に移動し、やがて、移動側メンバー３のボールリテーナー後端ストッパーが固定側メンバー１の収納時ストッパーに当接して、移動側メンバー３が停止する。
【００１７】
後部支持ブラケット６は、固定側メンバー１の支持用基板６１と、支持用基板６１の上下端部より、スライドレール１００側に突出し、上下の折曲縁１１、１１を外嵌する上下保持突片６２、６２と、支持用基板６１の後端部をスライドレール１００と反対方向に突出せしめ、上下方向に複数個の取付用長孔６３・・・を有し、ラックの支柱１０１とネジ止めされる連結用突片６４と、支持用基板６１の前端部をスライドレール１００と反対方向に突出せしめた補強用突片６５より構成され、支持用基板６１の上下方向中央部にスライドレール１００の摺動方向に沿って、前端部に開口する案内用開口６６を有する所定長さのスライド用長孔６７が形成され、補強用突片６５には前記案内用開口６６に連続して、固定側メンバー１にもうけられた嵌合突部８が通過可能な挿通孔６５１が形成されている。
【００１８】
そして、案内用開口６６は、スライド長孔６７の上下寸法より前端部が大きく、後端部がスライド長孔６７の上下高さに一致する寸法で略横向き三角形状に形成されている。
又、補強用突片６５は、支持用基板６１の前端部がスライド用長孔６７によって上下方向に分割されているので、上下方向の強度の低下を防止する為にもうけられているものである。
さらに、使用状態において固定側メンバー１を保持するのは下保持突片６２だけで十分ではあるが、後部支持ブラケット６の左右勝手をなくすため、上下に形成されている。
【００１９】
第１実施例の嵌合突部８は、図３、図６、図７に示すように、スライド用長孔６７の上下寸法より大径の頭部（抜け止め部）８１と、スライド用長孔６７の上下寸法より若干小さめの径で、後端が固定側メンバー１の基板１０に連結される軸部（スライド嵌合部）８２より構成されている。
【００２０】
第２実施例の嵌合突部８は図８に示すように、固定側レール１の基板１０の一部を横向きＴ字形に切り起こして、スライド用長孔６７の上下寸法より大きく上下方向に突出する抜け止め部８１、８１と、スライド用長孔６７の上下寸法より若干小さめのスライド嵌合部８２を構成している。
【００２１】
第３実施例の嵌合突部８は、図９に示すように、固定側レール１の基板１０の一部を十字形に膨出せしめて、スライド用長孔６７の上下寸法より大きく上下方向に突出する抜け止め部８１、８１と、スライド用長孔６７の上下寸法より若干小さめのスライド嵌合部８２を構成している。
【００２２】
嵌合突部８は上記の如く構成され、後部支持部材６の挿通孔６５１を挿通し、同時にスライド嵌合部８２が、案内用開口６６に案内されて、スライド用長孔６７に嵌合し、抜け止め部８１はスライド用長孔６７より上下方向に突出して、支持用基板６１の外面側に位置する。
すなわち、抜け止め部８１によって、スライドレール１００の後部は内側方向に移動せず、スライド用長孔６７に嵌合部８２が嵌合する事と、上下保持突片６２、６２間にと固定側メンバー１が嵌入する事で、上下方向に移動せず、固定メンバー１の前端部を前側の左右支柱１０１に連結する事で、固定側メンバー１の前後方向への移動は防止される。
【００２３】
【発明の効果】
請求項１に記載の発明によれば、固定側本体の後部に連結された後部支持ブラケットに、固定側メンバーの後部を前方から装着する事により、前後方向にスライド可能で上下動不能に支持したので、一つの、後部支持ブラケットとスライドレールで、複数個の固定側本体の奥行寸法（異なった奥行寸法のラック）に対応可能出来る。
さらに、後部支持ブラケットは、後部支持部材は前端部が開口する前後方向のスライド用長孔を有し、固定側メンバーは、スライド用長孔の前端部の開口から前後方向にスライド可能に嵌合する嵌合突部を有しているので、スライドレールの後部を後部支持ブラケットに前方より嵌入（係合突部をスライド用長孔に嵌合）させるだけで、スライドレールの後部を支持できるので、スライドレールの取付作業が非常に容易である。
【図面の簡単な説明】
【図１】      本発明を使用状態を示す斜視図
【図２】      スラードレールと後部支持ブラケットを嵌合した状態の斜視図
【図３】      スラードレールと後部支持ブラケットを嵌合した状態の正面図
【図４】      図３の拡大左側面図
【図５】      図３のＢ−Ｂ線拡大断面図
【図６】      図３のＣ−Ｃ線拡大断面図
【図７】      第１実施例の嵌合突部を示す斜視図
【図８】      第２実施例の嵌合突部を示す斜視図
【図９】      第３実施例の嵌合突部を示す斜視図
【符号の説明】
１              固定側メンバー
１００          スライドレール
２              中間メンバー
３              移動側メンバー
６              後部支持ブラケット
６７            スライド用長孔
８              嵌合突部
【図１】
0004002596.tif 000002
【図２】
0004002596.tif 000003
【図３】
0004002596.tif 000004
【図４】
0004002596.tif 000005
【図５】
0004002596.tif 000006
【図６】
0004002596.tif 000007
【図７】
0004002596.tif 000008
【図８】
0004002596.tif 000009
【図９】
0004002596.tif 000010